(57)【要約】【課題】測定ヘッドに対するモニタ部の姿勢の自由度を向上させ、測定効率を向上させることができる検眼装置を提供する。【解決手段】検眼装置１は、ベース部２及び測定ヘッド３を有する本体部Ｈと、被検眼像と操作ボタンとを少なくとも提示可能なタッチパネル式の表示面２５を有するモニタ部１０及びモニタ部１０を垂直軸回り及び水平軸回りに回動自在に支持する支持部１１を有するモニタユニット３０と、を備えて構成される。支持部１１及びモニタ部１０を有するモニタユニット３０は、本体部Ｈに対して着脱自在に構成されている。【選択図】図１
2019051006.tif 000002
【特許請求の範囲】
【請求項１】
ベース部、及び前記ベース部の前方に位置する被検者に対面した状態でこのベース部に水平方向及びこれに垂直な方向にそれぞれ可動可能に支持され、かつ光学系を介して被検眼像を観察しつつ検査を行う測定ヘッドを有する本体部と、
前記被検眼像と操作ボタンとを少なくとも提示可能なタッチパネル式の表示面を有するモニタ部と、
前記モニタ部を垂直軸回り及び水平軸回りに回動自在に支持する支持部と、を備え、
前記支持部及び前記モニタ部は、前記本体部に対して着脱自在に構成されていることを特徴とする検眼装置。
【請求項２】
前記支持部は、前記本体部に対して着脱自在に取り付けられる取付部と、垂直軸回りに可動する垂直軸部及び水平軸回りに回動する水平軸部を介して前記取付部に支持される支持アーム部材とを有し、前記支持アーム部材の先端部に、前記モニタ部が取り付けられていることを特徴とする請求項１に記載の検眼装置。
【請求項３】
前記支持アーム部材は、伸縮自在に構成されていることを特徴とする請求項２に記載の検眼装置。
【請求項４】
前記本体部には、前記取付部を取り付ける被取付部が複数設けられていることを特徴とする請求項１ないし３のいずれか一項に記載の検眼装置。
【発明の詳細な説明】
【技術分野】
【０００１】
本開示は、検眼装置に関する。
【背景技術】
【０００２】
被検眼を検査するための光学素子を備えた測定ヘッドとしての検眼ユニットと、該検眼ユニットを操作する操作部及び各種画像情報が表示されるモニタ部を有するコントローラとを備え、該コントローラの本体部に対して、モニタ部を水平軸回りに回動可能の構成とした検眼装置が知られている（例えば、特許文献１参照）。
【０００３】
特許文献１に記載の発明では、モニタ部の表示面はタッチパネル画面とされ、タッチパネル画面には、操作ボタンと各種の画像情報とが表示される。タッチパネル画面は、モニタ部の水平軸回りの回動により、検者に対面する側と被検者に対面する側とに向けられ、検者に対面する側に向けられたときと被検者に対面する側とに向けられたときとで、そのタッチパネル画面に表示されている画像情報が上下左右に反転され、かつ、回転前のボタンの位置と回転後のボタンの位置とが見た目上同じとなるような位置に制御回路により制御される。
【０００４】
このような構成とすると、検者に対面する側と被検者に対面する側とに表示面を向けることができる。そのため、検者は、被検者と対面する側からだけでなく、被検者のいる側からも表示面を視認しつつタッチパネルを操作することができる。
【０００５】
また、使用者が自身の姿勢に合うようにモニタ部を容易に移動させることができる超音波診断装置のモニタ支持装置も知られている（例えば、特許文献２参照）。更に、測定ヘッドの後部側にモニタ部を略垂直状態から水平状態まで傾斜可能に保持する保持手段を設ける検眼装置も知られている（例えば、特許文献３参照）。
【先行技術文献】
【特許文献】
【０００６】
【特許文献１】特開２００７−６８５８３号公報
【特許文献２】特開２００７−３７９８１号公報
【特許文献３】特許第４５８７７４１号公報
【発明の概要】
【発明が解決しようとする課題】
【０００７】
しかしながら、上記従来技術では、測定ヘッドに対するモニタ部の姿勢が制限され、被検者の左右側方からはモニタ部の表示面を視認しにくかった。そのため、開瞼状態の悪い被検者に対して、検者が被検者に寄り添って開瞼の手伝いを行いつつ測定するときに、被検者の開瞼状態を検者が自身の眼で確認しながら、同時にモニタ部の表示面を視認することは困難で、検者の姿勢の自由度や測定効率に影響するおそれがあった。
【０００８】
本発明は、上記の事情に鑑みて為されたもので、測定ヘッドに対するモニタ部の姿勢の自由度を向上させ、測定効率を向上させることができる検眼装置を提供することにある。
【課題を解決するための手段】
【０００９】
上記目的を達成するため、本発明の検眼装置は、ベース部、及び前記ベース部の前方に位置する被検者に対面した状態でこのベース部に水平方向及びこれに垂直な方向にそれぞれ可動可能に支持され、かつ光学系を介して被検眼像を観察しつつ検査を行う測定ヘッドを有する本体部と、前記被検眼像と操作ボタンとを少なくとも提示可能なタッチパネル式の表示面を有するモニタ部と、前記モニタ部を垂直軸回り及び水平軸回りに回動自在に支持する支持部と、を備え、前記支持部及び前記モニタ部は、前記本体部に対して着脱自在に構成されていることを特徴とする。
【００１０】
また、前記支持部は、前記本体部に対して着脱自在に取り付けられる取付部と、垂直軸回りに可動する垂直軸部及び水平軸回りに回動する水平軸部を介して前記取付部に支持される支持アーム部材とを有し、前記支持アーム部材の先端部に、前記モニタ部が取り付けられている構成とすることができる。また、前記支持アーム部材は、伸縮自在に構成されている構成とすることができる。さらには、前記本体部には、前記取付部を取り付ける被取付部が複数設けられている構成とすることもできる。
【発明の効果】
【００１１】
このように構成された本発明の検眼装置では、モニタ部とモニタ部を垂直軸回り及び水平軸回りに回動自在に支持する支持部とが、本体部に対して着脱自在に構成されていることから、モニタ部を、本体部の所望の位置に取付けることができる。そして、この取付位置で、モニタ部を垂直軸回り及び水平軸回りに回動することで、モニタ部を前後、左右、上下の所望の位置に配置したり、所望の方向に向けたりすることができる。したがって、測定ヘッドに対するモニタ部の姿勢の自由度を向上させ、測定効率を向上させることができることができる。
【００１２】
また、本発明の検眼装置では、支持部は、本体部に対して着脱自在に取り付けられる取付部と、垂直軸回りに可動する垂直軸部及び水平軸回りに回動する水平軸部を介して取付部に支持される支持アーム部材とを有し、支持アーム部材の先端部に、モニタ部が取り付けられている構成とすれば、可動範囲が拡大し、支持アーム部材を介してより円滑に、所望の方向や姿勢になるようにモニタ部を回動することができる。また、支持アーム部材は、伸縮自在に構成すれば、モニタ部と検者との距離を、より自在に調整することができるだけでなく、モニタ部の高さも上下に自在に調整することができる。これにより、モニタ部の視認性や操作性を向上させ、検者の姿勢の自由度をより高めることができる。さらには、本体部には、取付部を取り付ける被取付部が複数設けられている構成とすれば、本体部の所望の位置にモニタ部及び支持部を取り付けることができ、検者の視力や見易さ、さらには検者の身長や姿勢に応じて、適切な位置にモニタ部を配置することができ、検者の姿勢の自由度や測定効率をより向上させることができる。
【図面の簡単な説明】
【００１３】
【図１】本実施の形態に係る検眼装置の外観を示す図であり、（ａ）は検眼装置の右側面図を示し、（ｂ）は検眼装置の背面図を示す。
【図２】検者が被検者側から検査を行う場合のモニタ部の姿勢を説明するための図であり、（ａ）は検眼装置の右側面図を示し、（ｂ）は検眼装置の正面図を示す。
【図３】検者が検眼装置の右側に位置する状態で検査を行う場合のモニタ部の姿勢を説明するための図であり、検眼装置の右側面図を示す。
【図４】検者が検眼装置の左側に位置する状態で検査を行う場合のモニタ部の姿勢を説明するための図であり、検眼装置の左側面図を示す。
【図５】図１〜図４に示される取付部の内部の概略構造を示す斜視図である。
【図６】図５に示される取付部の取付けブラケット板部に回路基板を取り付けた状態の概略構成を示す斜視図である。
【図７】図５に示される垂直筒部の取付け構造の概略構成を示す部分断面図である。
【図８】図６に示される中空筒部の取付け構造の概略構成を示す断面図である。
【図９】図６に示される取付部を側面から見た構成を示す図である。
【図１０】図６に示される回路基板に表側カバー部材を装着し、取付部に下側カバー部材を装着した状態を示す斜視図である。
【図１１】図１０に示される取付部に裏側カバー部材を装着する直前の状態を示す斜視図である。
【図１２】表示面に表示される被検眼像と操作ボタンとの一例を示す説明図であって、アライメント完了後測定実行時の状態を示す図である。
【図１３】表示面に表示される被検眼像と操作ボタンとの一例を示す説明図であって、アライメント完了前の被検眼像の状態を示す図である。
【図１４】他の異なる実施形態の検眼装置において、測定ヘッドの頂部以外にモニタユニットを取り付けた例を説明するための図であり、（ａ）は検眼装置の右側面図を示し、（ｂ）は検眼装置の正面図を示す。
【図１５】図１４に示されるモニタユニットの支持部と被取付部との取付け構造の概略構成を示す断面図である。
【図１６】本実施形態に係る検眼装置を壁際に配置した状態を示す斜視図である。
【発明を実施するための形態】
【００１４】
以下、この発明の実施の形態を図面に基づいて説明する。まず図１〜図４に基づいて、本実施の形態に係る検眼装置１の構成を説明する。図１は、本実施の形態に係る検眼装置１の右側面図及び背面図である。図２〜図４は、検眼装置１に対する検者の位置に対応したモニタ部の姿勢を説明するための図である。なお、本明細書を通じて各図に記すようにＸ軸、Ｙ軸及びＺ軸を取り、図１における左右方向（Ｘ軸正方向が右方向、負方向が左方向）、前後方向（Ｙ軸正方向が後方向、負方向が前方向）及び上下方向（Ｚ軸正方向が上方向、Ｚ軸負方向が下方向）を基準として明細書中の説明を行う。また、被検者側（Ｙ軸負方向）を検眼装置１の正面、被検者と対峙する側（Ｙ軸正方向）を検眼装置１の背面、被検者の右側（Ｘ軸正方向）を検眼装置１の右側、被検者の左側（Ｘ軸負方向）を検眼装置１の左側と定義する。
【００１５】
図１〜図４に示すように、本実施の形態に係る検眼装置１は、本体部Ｈと、本体部Ｈに対して着脱自在に取り付けられるモニタユニット３０とを備えている。本体部Ｈは、ベース部２と測定ヘッド３とを備えており、カバー部材１ａによって被覆されている。また、本体部Ｈには、ベース部２の前方（正面）に顎受け部４が設けられ、この顎受け部４の上部には、この顎受け部４と一体に形成された額当て５が設けられている。本実施の形態に係る検眼装置１の被検者は、検眼装置１の前方（正面）に設けられた椅子等に座った状態で検眼装置１と対峙し、顎受け部４に顎を置き、額当て５に額を当てた状態で検査を受ける。
【００１６】
測定ヘッド３の内部には、図１〜図５に破線で示すように、公知の観察・撮影用の光学系６が設けられている。この光学系６により、被検者の前眼部、被検眼の角膜、眼底等が観察・撮影可能である。
【００１７】
測定ヘッド３の正面には、図１に示すように、前眼部照明用の光源７が輪環状に配置されている。この光源７は、角膜形状を測定する測定光源としても用いられる。
【００１８】
ベース部２には、図１〜図４に破線で示すように、測定ヘッド３を駆動する公知の駆動機構・駆動回路８が設けられている。駆動機構・駆動回路８の駆動部には、例えば、ステッピングモータが用いられる。
【００１９】
測定ヘッド３は、後述するモニタ部１０を操作することにより、駆動機構・駆動回路８によりベース部２に対して水平方向つまり前後左右方向（Ｙ軸方向及びＸ軸方向）、及びこれに垂直な垂直方向つまり上下方向（Ｚ軸方向）に駆動される。これにより、測定ヘッド３はベース部２に対して水平方向及び垂直方向にそれぞれ可動可能に支持されている。
【００２０】
モニタユニット３０は、測定ヘッド３を操作するためのモニタ部１０と、このモニタ部１０を支持する支持部１１とを備えている。図１〜図４では、モニタユニット３０が測定ヘッド３の頂部９にけられた状態を示している。
【００２１】
以下、図５〜図１１を用いて、モニタユニット３０の構成部品について詳細に説明する。これらの図に示すように、支持部１１は、板金製の垂直軸受け部材１２と板金製の水平軸受け部材１３とから主に構成されている。垂直軸受け部材１２は台座部１２ａと一対の取付部１２ｂ、１２ｂとから概略構成されている。
【００２２】
一対の取付部１２ｂ、１２ｂは台座部１２ａの両側にフランジ状に突出して設けられている。頂部９の後側には、カバー部１ａの表面に図５、図７に示すように側面視コ字形で、Ｘ方向に延びる一対のレール状の被取付部４０、４０が設けられている。この一対の被取付部４０、４０内に、被取付部４０、４０の端部から取付部１２ｂ、１２ｂを挿入して係合することで、頂部９にモニタユニット３０を取り付けることができる。
【００２３】
なお、被取付部４０、４０は、測定ヘッド３の頂部９の後側以外にも、検眼装置１の複数個所に設けられている。本実施の形態では、測定ヘッド３の頂部９の中間や前方にも被取付部４０、４０を設けている。
【００２４】
この他にも、測定ヘッド３の左右側面や背面側に被取付部４０、４０を設け、測定ヘッド３の外周面にモニタユニット３０を取り付けることもできる。また、ベース部２の左右側面や背面、ベース部２の基部２ａ上にそれぞれ被取付部４０、４０を設け、ベース部２の外周面にモニタユニット３０を取り付けることもできる。また、額当て５の上部などに被取付部４０、４０を設け、額当て５にモニタユニット３０を取り付けることもできる。
【００２５】
台座部１２ａには、例えば溶着手段により垂直軸部としての垂直筒部１４が溶着固定されている。水平軸受け部材１３は、図５、図６に示すように、水平板部１３ａと一対の支承板部１３ｂ、１３ｂとから構成されている。
【００２６】
一対の支承板部１３ｂ、１３ｂは、水平板部１３ａから起立されている。その水平板部１３ａには、図６に示すように、中央に円形開口１３ｃが形成されている。垂直筒部１４はこの円形開口１３ｃに挿通される。
【００２７】
垂直筒部１４には、その外周に図７に部分的に拡大して示すように段差部１４ａが設けられ、内部には貫通穴１４ｂが設けられている。水平板部１３ａはその円形開口１３ｃが垂直筒部１４内の貫通穴１４ｂに挿通される。また、垂直筒部１４には、水平板部１３ａを挟むようにして摩擦リング板１５が挿通されると共に、この摩擦リング板１５と水平板部１３ａとを挟むようにして、抜け止めリング部材１５’が装着される。
【００２８】
水平板部１３ａは、抜け止めリング部材１５’により垂直筒部１４に支承されている。水平板部１３ａは、抜け止めリング部材１５’と摩擦リング板１５により垂直軸方向に適宜の圧力を受けつつ垂直筒部１４の軸回り方向に適宜の力を受けて回動自在とされ、その垂直軸回り方向適宜の位置で停止状態を維持可能とされている。
【００２９】
また、支承板部１３ｂ、１３ｂには、図５、図６に示すように、支持アーム部材１３ｄが回動可能に支承される。支持アーム部材１３ｄは一対のアーム板部１３ｅ、１３ｆと取り付けブラケット板部１３ｇとから主に構成されている。
【００３０】
アーム板部１３ｅには水平軸部１３ｈが設けられている。アーム板部１３ｆには円形開口１３ｊが形成されている。水平軸部１３ｈは支承板部１３ｂの一方に水平軸回り方向に回動自在に支承されている。その水平軸部１３ｈには公知のトルクヒンジ部材が用いられる。このトルクヒンジ部材により水平軸回りの回動力の調整を行うことができる。
【００３１】
支承板部１３ｂの他方には、円形開口１３ｊに対向する円形開口１３ｋが形成されている。その円形開口１３ｊ、１３ｋには、図５〜図７に示すように中空筒部１９が挿通されている。この中空筒部１９は支承板部１３ｂの他方に固定され、支持アーム部材１３ｄはこの中空筒部１９と水平軸部１３ｈとにより水平軸回りに回動可能とされている。
【００３２】
中空筒部１９には、例えば、図８に示すようにその軸方向に間隔を開けて環状溝２０、２０が形成されている。この環状溝２０、２０には軸方向の抜け止めリング部材としてのＣ形止め輪２１、２１が装着される。これにより、中空筒部１９は支承板部１３ｂに対する軸方向の抜け止めが図られている。
【００３３】
中空筒部１９には、樹脂製の軸受けフランジ部材２２が貫挿される。支持アーム部材１３ｄは、この軸受けフランジ部材２２に適宜の力を受けて回動可能に摺接されている。なお、図８において、符号１３ｆ’はアーム板部１３ｆに屈曲形成された屈曲板部である。円形開口１３ｊはこの屈曲板部１３ｆ’に形成され、アーム板部１３ｆはこの屈曲板部１３ｆ’を介して中空筒部１９に回動可能に支承される。
【００３４】
中空筒部１９を回動可能に支承する支承板部１３ｂには、図５、図９に拡大して示すように、水平軸回り方向に間隔を開けて一対の突起部１３ｍ、１３ｍが形成されている。図９に示すように、この突起部１３ｍと突起部１３ｍとの間にＣ形止め輪２１の開放端部２１ａ、２１ａが配置されている。
【００３５】
中空筒部１９は、Ｃ形止め輪２１の開放端部２１ａ、２１ａが配置されることにより、中空筒部１９の水平軸回り方向の回転が防止され、中空筒部１９の耐久性の向上が図られている。
【００３６】
中空筒部１９の貫通穴１９ａ、垂直筒部１４の貫通穴１４ｂには、モニタ部１０から引き出されたケーブル１６が挿通されている。これにより、ケーブル１６が測定の妨げになることはなく、さらにはモニタ部１０の回動操作に伴うケーブル１６のねじれを防止することもできる。
【００３７】
ケーブル１６の先端にはコネクタ１６ａが設けられている。このコネクタ１６ａを、例えば、図７に示すように、測定ヘッド３の頂部９の被取付部４０、４０の間に設けられた差込口９ａに差し込むことで、モニタ部１０と測定ヘッド３とを電気的に接続することができる、モニタ部１０に本体部Ｈから電力が供給される。また、これによりモニタ部１０の制御回路ユニット２４と測定ヘッド３の制御部との間でデータや指令の通信などが可能となる。
【００３８】
ケーブル１６としては、ＨＤＭＩ（登録商標）ケーブル、ＤＶＩケーブル、ＤｉｓｐｌａｙＰｏｒｔケーブル、ＵＳＢケーブルなどが挙げられる。
【００３９】
コネクタ１６ａを差し込む差込口９ａは、測定ヘッド３の頂部９に設けた被取付部４０、４０の間だけでなく、測定ヘッド３、ベース部２、額当て５などに設けた各被取付部４０、４０の間に設けてもよい。また、被取付部４０、４０ごとに差込口９ａを設ける必要もなく、ケーブル１６が届く範囲であれば、本体部Ｈの前後左右一箇所ずつに設けるなどしてもよい。
【００４０】
なお、モニタ部１０と測定ヘッド３との通信が、有線に限定されることはなく、Ｗｉ−Ｆｉ（登録商標）やブルートゥース（登録商標）などの無線通信によるものであってもよい。無線通信の場合は、本体部Ｈに差込口９ａを設ける必要がなく、ケーブル１６の接続の手間なども省くことができる。
【００４１】
また、無線通信の場合は、垂直筒部１４と中空筒部１９に、ケーブル１６を挿通する貫通穴１４ｂ、１９ａを設ける必要がない。また、ケーブル１６を用いた場合でも、貫通穴１４ｂ、１９ａを必ずしも設ける必要はなく、ケーブル１６を支持部１１の外へ配置してもよい。これらの場合、アーム板部１３ｆや支承板部１３ｂの他方に円形開口１３ｊ、１３ｋを設けたり、中空筒部１９を用いたりする必要がなく、アーム板部１３ｆ及びその支持構造を、アーム板部１３ｅ及びその支持構造と同じ構造とすることなどができる。よって、垂直軸受け部材１２や水平軸受け部材１３を、より簡素化した構造とすることができる。
【００４２】
取付けブラケット板部１３ｇは、図５、図６、図８に示すように、一対のアーム板部１３ｅ、１３ｆに跨って配置されている。その取付けブラケット板部１３ｇには、図１０に示すように、回路基板２３が設けられている。回路基板２３の裏側には、制御回路ユニット２４が設けられ、その表側には、液晶ディスプレイからなるモニタ部１０が設けられている。これにより、支持アーム部材１３の先端部にモニタ部１０が取り付けられた構成となっている。また、モニタ部１０は、図１（ｂ）、図２（ｂ）、図３、図４に示すような表示面２５を有している。
【００４３】
取付けブラケット板部１３ｇと一対のアーム板部１３ｅ、１３ｆの為す角度は鈍角である。すなわち、モニタ部１０と支持アーム部材１３ｅとの為す角度が鈍角であるため、モニタ部１０を検者に対面する背面側から被検者に対面する正面側への姿勢変更作業を支障なく行うことができる。
【００４４】
アーム板部１３ｅと支承板部１３ｂとには、図５に示すように、モニタ部１０の水平軸回りの回動を検出する検出センサー２５ａ、２５ｂが設けられている。この検出センサー２５ａ、２５ｂは、例えば、モニタ部１０が水平状態のときにオンし、水平状態から所定角度を超えたときに、オフする構成とされている。
【００４５】
制御回路ユニット２４は、検出センサー２５ａ、２５ｂと協働して、モニタ部１０が水平軸回りに回動されて、その表示面２５が逆さまになる前と逆さまになったときとで、被検眼像と操作ボタンとの見た目上の位置が同じ位置となるようにかつ表示面２５に表示される画像情報が上下左右反転するように制御する。
【００４６】
制御回路ユニット２４は、例えば、検出センサー２５ａ、２５ｂによる出力信号の立ち上がりと立ち下がりを検出すると、その表示面２５による画像情報が上下左右反転するように制御する。この表示面２５は、被検眼像と操作ボタンが少なくとも提示されるタッチパネル式とされている。この表示面２５に表示される被検眼像、操作ボタンの詳細については後述する。
【００４７】
また、検出センサーとしてジャイロセンサーや加速度センサーなどを使用して、測定ヘッド３やベース部２に対するモニタユニット３０の取付位置と姿勢を検出するようにしてもよい。制御回路ユニット２４は、これらの検出センサーで検出したモニタユニット３０の取付位置と姿勢に応じて、被検眼像と操作ボタンの見た目上の位置や画像情報の方向を調整して、表示面２５に表示する。
【００４８】
回路基板２３の表側には、図１０、図１１に示すように、表側カバー枠部材２６がネジ等の固定部材により取り付けられる。これにより、回路基板２３の周辺部が化粧される。なお、図１０は表側カバー枠部材２６の取り付け前の状態を示している。また、支持アーム部材１３ｄの取付けブラケット板部１３ｇには、図１０に示すように、その裏側かつ下側を被覆する下側カバー部材２７が設けられる。
【００４９】
下側カバー部材２７は、下部カバー部２７ａと取付けアーム部２７ｂと背面被覆部２７ｃとを有する。下側カバー部材２７は、取付けブラケット板部１３ｇに取付けアーム部２７ｂにネジ等の固定手段により取り付けられる。なお、図１０は下側カバー部材２７の取り付け後の状態を示している。
【００５０】
その回路基板２３の裏側には、図１１に示すように、回路基板２３の裏側を被覆する裏側カバー部材２８がネジ等の固定部材により取り付けられる。裏側カバー部材２８は支持部１１を被覆する被覆部２８ａを有する。これにより、回路基板２３の裏側と支持部１１の側面部とが化粧される。なお、図１１は裏側カバー部材２８を回路基板２３に取り付ける前の状態を示している。
【００５１】
ここでは、表示面２５は、図１２に拡大して示すように、矩形状とされている。この表示面２５には、被検眼像等表示領域２５ｃと操作ボタン表示領域とが設けられている。被検眼像等表示領域２５ｃには、その画面中央に矩形状の目標エリアマーク２５ｇと最小瞳孔径判定マーク２５ｈとが表示されている。操作ボタン表示領域は、表示面２５に向かってその被検眼像等表示領域２５ｃを挟んでその左右両辺部と被検眼像等表示領域２５ｃの下辺部とに設けられている。
【００５２】
操作ボタン表示領域には、表示面２５に向かって左側の表示領域２５ｄにキーボードボタンＢ１、ＲボタンＢ２、顎受け上下動ボタンＢ３、測定モードボタンＢ４が配置されている。表示面２５に向かって右側の表示領域２５ｅにセットアップボタンＢ５、ＬボタンＢ６、測定ヘッド３を前後動させる測定ヘッド前後ボタン（Ｚ方向ボタン）Ｂ７、スタートボタンＢ８、マニュアル・オート切り替えボタンＢ９が配置されている。
【００５３】
表示面２５に向かって下辺部の表示領域２５ｆに白内障ボタンＢ１０、ターゲット像ボタンＢ１１、角膜直径ボタンＢ１２、プリントボタンＢ１３、グラフィックプリントボタンＢ１４、観察像表示ボタンＢ１５、全測定値クリアボタンＢ１６が配置されている。
【００５４】
キーボードボタンＢ１は患者のＩＤを入力するのに用いられ、測定モードボタンＢ４は、レフ（眼屈折力）、ケラト（角膜形状）、レフ／ケラトのいずれかの測定モードに切り替えるのに用いられる。ＲボタンＢ２は右眼を選択するのに用いられ、ＬボタンＢ６は左眼を選択するのに用いられ、スタートボタンＢ８はマニュアルモード時に測定を開始させるのに用いられ、セットアップボタンＢ５はセットアップ画面を表示するのに用いられる。
【００５５】
白内障ボタンＢ１０は白内障等があって測定エラーが生じやすいときに用いられ、ターゲット像ボタンＢ１１は記憶している測定ターゲットを表示面２５に表示させる際に用いられる。角膜直径ボタンＢ１２は角膜の直径を測定するモードに切り替える際に用いられる。
【００５６】
プリントボタンＢ１３は測定結果をプリントアウトするのと紙送りをするのとに用いられ、グラフィックプリントボタンＢ１４は屈折状態示す図形をプリントアウトするのに用いられる。観察像表示ボタンＢ１５は観察像を表示するのに用いられ、全測定値クリアボタンＢ１６は全測定値をクリアするのに用いられる。
【００５７】
顎受け上下動ボタンＢ３は、顎受け部４の高さを上下動させて、被検者の被検眼の高さを調整するのに用いられる。測定ヘッド前後ボタン（Ｚ方向ボタン）Ｂ７は被検眼に対して測定ヘッド３を前後方向に駆動させる際に用いられる。なお、最小瞳孔径判定マーク２５ｈは、この最小瞳孔径判定マーク２５ｈ以下の瞳孔径の場合、測定を中止するのに用いられる。
【００５８】
被検眼像等表示領域２５ｃには、観察中の前眼部像の他、測定結果やその他検査に関連する文字、記号、符号等の他、図形等の画像が適宜表示される。図１２には、被検者の前眼部像Ｇｆと測定結果Ｓ，Ｃ、Ａが表示される。図１２において、Ｇｆ’は虹彩像、Ｇｆ”は瞳孔像である。また、Ｐ１は角膜輝点像、Ｐ２はアライメント指標像である。
【００５９】
制御回路ユニット２４は、例えば、図１３に示すように、前眼部像Ｇｆの観察モードのときに、検者が指等でその被検眼像等表示領域２５ｃをタッチすると、タッチ箇所ｔｐに対応する画像部位が画面中心Ｇ０に位置するように、測定ヘッド３を上下左右に駆動する。これにより、被検眼像の瞳孔像Ｇｆ”が画面中央に位置するように制御される。
【００６０】
制御回路ユニット２４は、例えば、画面中心Ｇ０からタッチ箇所ｔｐまでの画面上での距離Ｌを演算し、この距離Ｌに基づいて左右方向ステッピングモータと上下方向ステッピングモータとを駆動制御する。この駆動制御により、被検眼に対して測定ヘッド３を上下左右（Ｚ軸方向及びＸ軸方向）に移動させる。
【００６１】
ここでは、制御回路ユニット２４は、第１回目のタッチで測定ヘッド３を高速駆動し、第２回目のタッチで低速駆動するようにステッピングモータを駆動する。というのは、第１回目のタッチの際には、画面中心Ｇ０と瞳孔中心ＰＤＯとの距離が大きく、測定の迅速化を図るために高速駆動するのが望ましい。これに対して第２回目のタッチの際には、画面中心Ｇ０と瞳孔中心ＰＤＯとの距離は小さいと考えられ、瞳孔中心ＰＤＯが目標エリアマーク２５ｇ内に正確に入るように測定ヘッド３を制御するのには、低速駆動が望ましいからである。
【００６２】
制御回路ユニット２４は、目標エリアマーク２５ｇの近傍に瞳孔中心ＰＤＯが位置して、角膜輝点像Ｐ１が検出されると、角膜輝点像Ｐ１の検出位置と画面中心Ｇ０との距離に基づいて自動的に測定ヘッド３が上下左右方向（Ｚ軸方向及びＸ軸方向）に駆動すると共に、角膜輝点像Ｐ１のピントが合焦するように、測定ヘッド３を前後方向（Ｙ軸方向）に駆動する。そして、角膜輝点像Ｐ１が目標エリアマーク２５ｇ内に入りかつ角膜輝点像Ｐ１の出力値が所定値を超えると測定が自動的に実行される。
【００６３】
次に、測定ヘッド３の頂部９にモニタユニット３０を取り付けて姿勢変化させたときの制御回路ユニット２４による表示面２５への画像の表示制御について、図１〜図４を参照しながら説明する。モニタ部１０が図１に示す姿勢の状態から、図２に示す姿勢になるように、モニタ部１０を水平軸回りに前方向に回動させる。制御回路ユニット２４は、このようにモニタ部１０が逆さまになったときでも、逆さまになる前（図１の状態）と被検眼像と操作ボタンとの見た目上の位置が同じ位置となるようにかつ表示面２５に表示される画像情報が上下左右反転するように制御する。その結果、図１に示すモニタ部１０の姿勢のときの表示面２５と図２に示す姿勢のときの表示面２５とは、図１２、図１３に示すように見た目上同じとなる。
【００６４】
図２の各例では、被検者に対面する方向（前方）にモニタ部１０の表示面２５が向くため、検者は被検者の背後に立った状態で、被検者を補助しながら測定作業を行うことができるので便利であるとともに、測定効率も向上する。
【００６５】
なお、モニタユニット３０を取り外し、図２に仮想線で示したように、頂部９の中間又は前方に取り付けてもよい。このようにＹ軸方向において、モニタユニット３０を取り付ける位置を変えることができる。そのため、モニタ部１０を、検者の視力、腕の長さ、姿勢などに応じて表示面２５の視認やタッチパネルの操作がし易い位置や角度に配置することができ、測定時の検者の姿勢の自由度が向上し、利便性や測定効率を向上させることができる。
【００６６】
また、図２に示す姿勢のモニタ部１０を、垂直軸回りで反時計回りに回動させると、図３に示すように、モニタ部１０は右側（Ｘ軸正方向）を向く姿勢となる。
【００６７】
また、図３に示す姿勢のモニタ部１０を、水平軸回りに回動させると、図４に示すように、モニタ部１０は左側（Ｘ軸負方向）を向く姿勢となる。この状態では、モニタ部１０は、上下方向（Ｚ軸方向）において、図３よりも低い位置に配置されるため、図３よりも低い位置からモニタ部１０を操作することができる。また、図３から図４に変化することで、モニタ部１０が逆さまとなるが、制御回路ユニット２４の制御により、図３に示すモニタ部１０の姿勢のときの表示面２５と図４に示す姿勢のときの表示面２５とは見た目上同じとなる。
【００６８】
なお、図２に示す姿勢のモニタ部１０を垂直軸回りで時計回りに回動させるか、又は図３に示す姿勢のモニタ部１０を垂直軸回りで１８０°回動させることで、モニタ部１０を、左側（Ｘ軸負方向）を向く姿勢（つまり、図３とＹ−Ｚ平面を介して左右対称の姿勢）とすることができる。さらにこの状態から、モニタ部１０を水平軸回りに回動させると、モニタ部１０を、右側（Ｘ軸正方向）を向く姿勢（つまり、図４とＹ−Ｚ平面を介して左右対称の姿勢）とすることができる。
【００６９】
図３、図４の例に示すように、被検者から見て測定ヘッド３の右側にモニタ部１０の表示面２５を向けた場合、又は測定ヘッド３の左側にモニタ部１０の表示面２５を向けた場合には、検者が検眼装置１の右側又は左側に立った状態で測定作業、若しくは検眼装置１の右側又は左側に座った状態で測定作業を行うことができるので便利であるとともに、測定効率も向上する。より具体的には、例えば、検者は、被検者の横に位置して、被検者の眼を見ながら開瞼の手伝いを行い、モニタ部１０に目を向けてタッチパネルを操作することができる。
【００７０】
また、図２に仮想線で示すように、モニタユニット３０を頂部９の中間又は前方に取り付けた場合も上記と同様に、モニタ部１０を垂直軸回りで反時計回り又は時計回りに回動させると、右側又は左側を向く姿勢とすることができる。これらの状態からさらにモニタ部１０を水平軸回りに回動させると、左側又は右側を向く姿勢とすることができる。これにより、検者の視力に応じてモニタ部１０の位置を調整したり、検者の姿勢に応じて、所望の位置にモニタ部１０を配置したりすることができ、測定時の検者の姿勢の自由度が向上する。
【００７１】
また、図１〜図４では、モニタユニット３０を測定ヘッド３の頂部９のいずれかの位置に取り付けた例を示しているが、モニタユニット３０を頂部９以外に取り付けることもできる。
【００７２】
モニタユニット３０Ａを頂部９以外に取付けた例を、図１４、図１５に示す他の異なる実施形態の検眼装置１Ａを用いて説明する。この検眼装置１Ａは、図１等に示す検眼装置１と同様の基本構成を備えているが、モニタユニット３０Ａを本体部Ｈに取り付ける支持部１１Ａを、より簡素化している。
【００７３】
本実施の形態の支持部１１Ａは、図１４、図１５に示すように、垂直軸受け部材１２０と水平軸受け部材１３０とから主に構成されている。また、この支持部１１Ａを取り付ける被取付部４０Ａが、本体部Ｈの複数箇所に設けられている。
【００７４】
図１５に示すように、垂直軸受け部材１２０は、本体部Ｈの被取付部４０Ａにねじ込んで装着する取付部としての円筒状のねじ込み回転スリーブ１２１と、ねじ込み回転スリーブ１２１に対して垂直軸回りに回動可能に設けられた垂直軸部としての垂直筒部１２２と、ねじ込み回転スリーブ１２１及び垂直筒部１２２に挿入され、これらに対して相対的に垂直軸回りに回動する筒状の連結体１２３と構成されている。ねじ込み回転スリーブ１２１に対して垂直筒部１２２が垂直軸回りに回動することで、モニタ部１０を垂直軸回りに回動させることができる。また、ねじ込み回転スリーブ１２１を、本体部Ｈの被取付部４０Ａにねじ込むことで、本体部Ｈにモニタユニット３０Ａを容易に取り付けることができる。
【００７５】
ねじ込み回転スリーブ１２１には、円筒の一端に被取付部４０Ａの外周に螺着する螺溝を有するねじ穴部１２１ａが設けられ、他端にケーブル１１６を挿通する挿通穴１２１ｂが設けられている。垂直筒部１２２は、円筒の一端に水平方向に平行な軸受穴１２２ａが設けられ、他端にはケーブル１６を挿通する挿通穴１２２ｂが設けられている。なお、垂直筒部１２２の側面には、モニタ部１０から引き出されたケーブル１１６を内部に引きこむ挿通穴も設けられている。
【００７６】
モニタ部１０から引き出されたケーブル１１６は、垂直筒部１２２の側面に設けられた挿通穴から垂直筒部１２２内に引き込まれ、挿通穴１２２ｂ及び挿通穴１２１ｂに挿通されてねじ込み回転スリーブ１２１内に収容されている。このケーブル１１６の先端に、コネクタ１１６ａ’が設けられている。
【００７７】
被取付部４０Ａは、外周に螺溝を設けた円筒状の螺着部４１を有している。螺着部４１の円筒の両端には、測定ヘッド３から引き出されたケーブル１１６’のコネクタ１１６ａ’を挿通する挿通穴４１ａと、モニタ部１０側から引き出されたケーブル１１６のコネクタ１１６ａ’を挿通する挿通穴４１ｂとが設けられている。
【００７８】
また、被取付部４０Ａは、カバー部材１ａ内に埋め込まれ、カバー部材１ａに開口した取付穴１ｂを介して、被取付部４０Ａにねじ込み回転スリーブ１２１を螺着したり、コネクタ１１６ａ’とモニタ部１０側のコネクタ１１６ａとを接続したりすることができる。被取付部４０Ａは、例えば、頂部９の後方、中間、前方、測定ヘッド３の左右側面や背面側、ベース部２の左右側面や背面、ベース部２の基部２ａ上、さらには額当て５の上部などに設けられている。なお、額当て５は、カバー部材１ａで被覆されていないため、額当て５の外面に、被取付部４０Ａを設けている。
【００７９】
モニタ部１０側からのケーブル１１６のコネクタ１１６ａと、測本体部Ｈ側からのケーブル１１６’のコネクタ１１６ａ’とを接続することで、モニタ部１０と測定ヘッド３とを電気的に接続することができる。本実施形態では、Ｔｙｐｅ−Ｃのケーブル１１６，１１６’及びのコネクタ１６１ａ，１１６ａ’を用いているため、支持部１１や本体部Ｈとの接続構造をよりコンパクトにすることができる。なお、モニタ部１０と測定ヘッド３とを、無線により通信するものとしてもよく、この場合はケーブル１６の接続や配線のための挿通穴１２１ｂ，１２２ｂなどを設ける必要がなく、支持部１１Ａなどの構造をより簡素化することができる。
【００８０】
水平軸受け部材１３０は、水平軸部１３１と、この水平軸部１３１の両端部から垂直方向に突出する支持アーム部材１３２とから構成されている。水平軸部１３１は、垂直筒部１２２の軸受穴１２２ａ内に、水平方向に回動自在に挿入されている。水平軸部１３１には公知のトルクヒンジ部材が用いられる。このトルクヒンジ部材により水平軸回りの回動力の調整を行うことができる。そして支持アーム部材１３２の突出側の先端に、モニタ部１０が固定されている。
【００８１】
これにより、水平軸部１３１を回転軸として、支持アーム部材１３２を介してモニタ部１０を水平軸周りに回動することができる。また、垂直筒部１２２が垂直軸回りに回動することで、支持アーム部材１３２とともにモニタ部１０を垂直軸回りに回動することができる。
【００８２】
上述のような構成の検眼装置１Ａでは、本体部Ｈの複数箇所に設けられた中の所望の被取付部４０Ａのコネクタ１１６ａ’に、モニタ部１０側のコネクタ１１６ａを接続する。次いで、被取付部４０Ａの外周にねじ込み回転スリーブ１２１を螺着することで、被取付部４０Ａにモニタユニット３０Ａを取付けることができる。そして、モニタ部１０を、上記実施の形態と同様の動作で垂直軸回り及び水平軸回りに回動することで、モニタ部１０を所望の姿勢に配置することができる。
【００８３】
図１４に示す例では、モニタユニット３０Ａを、測定ヘッド３の頂部９以外の額当て５上に取り付けている。これにより、測定ヘッド３に取り付けたときよりも、目線がさらに高い位置にモニタ部１０を配置することができる。そのため、例えば、被検者の後ろからでも、被検者の頭部に遮られることなく、表示面２５の視認やタッチパネルの操作を行うことができ、検者の姿勢の自由度が向上し、利便性や測定効率を向上させることができる。
【００８４】
また、図１４（ａ）、図１４（ｂ）に仮想線で示すように、ベース部２の外周面や測定ヘッド３の外周面、ベース部２の基部２ａ上にモニタユニット３０を取り付けたりすることもできる。これにより、測定ヘッド３の頂部９や額当て５に取り付けたときよりも、目線の低い位置にモニタ部１０を配置することができる。そのため、例えば、背の低い検者や、屈んだり座ったりした状態の検者が、下側から被検者と表示面２５を視認しながら、タッチパネルを操作することができる。
【００８５】
また、ベース部２や測定ヘッド３の外周面、基部２ａ上にモニタユニット３０を取り付けた場合も、モニタ部１０を垂直軸回り、水平軸回りに回動することで、検者の姿勢や目線の高さなどに応じて、所望の角度や方向に、表示面２５を配置することができる。
【００８６】
また、ベース部２や基部２ａ、額当て５にモニタユニット３０Ａを取り付けた場合は、測定ヘッド３が水平方向や垂直方向に移動した場合でも、その影響を受けることがなく、タッチパネルの操作がより行い易くなり、操作性や測定効率を高めることができる。
【００８７】
また、他の異なる実施形態として、支持部１１の支持アーム部材１３ｄの基部から先端までの長さや、支持部１１Ａの支持アーム部材１３２の長さをより一層長くしてもよい。これにより、検者が座って操作する場合でも、立って操作する場合でも、モニタ部１０の表示面２５を、より一層検者に近づけることができるので、タッチパネルの操作に便利であるとともに、測定効率も向上する。
【００８８】
さらに異なる実施形態として、支持アーム部材１３ｄ，１３２を伸縮自在に構成し、支持アーム部材１３ｄ，１３２の基部から先端までの長さを自在に変えることができるようにすることもできる。これにより、モニタ部１０の表示面２５と検者との距離を、より自在に調整することができるだけでなく、モニタ部１０の高さも上下に自在に調整することができる。その結果、表示面２５の視認性やタッチパネルの操作性を向上させるとともに、検者の姿勢の自由度をより高めることができ、利便性や測定効率をより向上させることができる。
【００８９】
また、上記各実施の形態によれば、図１６に示すように、室内の隅部の壁Ｗに沿って検眼用テーブルＴを設け、検眼装置１を配設した場合でも、利便性や測定効率に優れた使用が可能となる。例えば、頂部９にモニタユニット３０（モニタユニット３０Ａにも適用できる）を取り付け、図１６に示すようにモニタ部１０を前方に向ける。また、額当て５上にモニタユニット３０を取り付けて、モニタ部１０を前方又は右側に向けてもよい。さらには、ベース部２や測定ヘッド３の右側面、基部２ａの右側にモニタユニット３０を取り付けることができる。これにより、被検者の背後又は測定ヘッド３の右側からモニタ部１０の表示面２５にタッチして測定ヘッド３を制御できるので、室内が狭い場合でも検眼測定を行うことができ、省スペース化を図ることができる。
【００９０】
更に、これらの検眼装置１，１Ａによれば、モニタ部１０を水平状態に保ったときに、処方箋等の軽い書類を載せておくのにも用いることができるという点でも便利である。
【００９１】
また、モニタ部１０の表示面２５が被検者に対面する側に向けられて、被検者が顎受け４に顔を固定する前等に、図２（ｂ）に示すように、「固視標を見てください。」等のガイドメッセージを表示面２５に表示させる構成としてもよい。
【００９２】
また、上記図１等に示す実施の形態では、本体部Ｈの所望の位置に設けた複数の被取付部４０、４０と、垂直軸受け部材１２の取付部１２ｂ、１２ｂとの係合によって、本体部Ｈに対してモニタユニット３０を着脱可能に取り付けている。また、図１４等に示す他の異なる実施の形態では被取付部４０Ａとねじ込み回転スリーブ１２１との螺着によって本体部Ｈに対してモニタユニット３０Ａを着脱可能に取り付けている。しかし、モニタユニット３０，３０Ａの取付機構が、この実施の形態に限定されることはない。例えば、モニタユニット３０，３０Ａ及び本体部Ｈの一方又は両方に、永久磁石や電磁磁石を取り付け、磁力によってモニタユニット３０を本体部Ｈに対して着脱自在としてもよい。また、金具等の取付部材によって、モニタユニット３０，３０Ａを本体部Ｈに対して着脱自在としてもよい。また、モニタユニット３０，３０Ａと本体部Ｈの一方に凸部、他方に凹部を設け、凸部と凹部との嵌め合いとその解除によってモニタユニット３０，３０Ａを本体部Ｈに対して着脱自在としてもよい。
【符号の説明】
【００９３】
１，１Ａ  検眼装置    ２  ベース部    ３  測定ヘッド    ６  光学系
１０  モニタ部    １１，１１Ａ  支持部    １２，１２０  垂直軸受け部材
１２ｂ  取付部    １２１  ねじ込み回転スリーブ（取付部）
１３，１３０  水平軸受け部材    １３ｄ，１３２  支持アーム部材
１３ｈ，１３１  水平軸部    １４，１２２  垂直筒部（垂直軸部）
２５  表示面    ４０，４０Ａ  被取付部    Ｈ  本体部
【図１】
2019051006.tif 000003
【図２】
2019051006.tif 000004
【図３】
2019051006.tif 000005
【図４】
2019051006.tif 000006
【図５】
2019051006.tif 000007
【図６】
2019051006.tif 000008
【図７】
2019051006.tif 000009
【図８】
2019051006.tif 000010
【図９】
2019051006.tif 000011
【図１０】
2019051006.tif 000012
【図１１】
2019051006.tif 000013
【図１２】
2019051006.tif 000014
【図１３】
2019051006.tif 000015
【図１４】
2019051006.tif 000016
【図１５】
2019051006.tif 000017
【図１６】
2019051006.tif 000018